(57)【要約】【課題】本発明は、溝を案内として移動する部材を、ピンに係合する曲折状係合部材により位置決めすることを目的とする。【解決手段】本発明による部材の位置決め機構は、本体(2)に設けられた溝(3)を案内として移動する部材(1)と、前記部材(1)に設けられたピン(4)と、前記本体(2)に設けられ弾性材料からなる曲折状係合部材(6)と、よりなり、前記ピン(4)と曲折状係合部材(6)の係合により部材(1)の位置決めがなされる構成である。【選択図】図１
2010014249.tif 000002
【特許請求の範囲】
【請求項１】
本体(2)に設けられた溝(3)を案内として移動する部材(1)と、前記部材(1)に設けられたピン(4)と、前記本体(2)に設けられ弾性材料からなる曲折状係合部材(6)と、よりなり、
前記部材(1)が移動して前記ピン(4)が前記曲折状係合部材(6)に係合することにより、前記部材(1)の位置決めが行われることを特徴とする部材の位置決め機構。
【請求項２】
前記曲折状係合部材(6)は、前記本体(2)に固定される基部(7)と、前記基部(7)に一体に設けられ円弧部(9)を有する曲折部材(8)と、からなり、前記円弧部(9)が前記ピン(4)の外周部(4a)に係合することを特徴とする請求項１記載の部材の位置決め機構。
【請求項３】
前記曲折状係合部材(6)は、前記本体(2)に固定される基部(7)と、前記基部(7)に一体に設けられ円弧状凹部(10)を有する曲折部材(8)と、からなり、前記曲折状係合部材(6)は全体形状が階段型をなし、前記円弧状凹部(10)は、前記ピン(4)の端面(11)に形成された端面凹部(12)に係合することを特徴とする請求項１記載の部材の位置決め機構。
【請求項４】
前記曲折状係合部材(6)は、前記本体(2)に固定される基部(7)と、前記基部(7)に一体に設けられ円弧状凹部(10)を有する曲折部材(8)と、からなり、前記円弧状凹部(10)は、前記ピン(4)の外周部(4a)に形成された周面凹部(4b)に係合することを特徴とする請求項１記載の部材の位置決め機構。
【発明の詳細な説明】
【技術分野】
【０００１】
本発明は、部材の位置決め機構に関し、特に、溝を案内として移動する部材を、ピンに係合する曲折状係合部材により位置決めするための新規な改良に関する。
【背景技術】
【０００２】
従来、用いられていたこの種の位置決め機構としては、社内製作のみで特許出願等を行っていないため、特に、特許文献等を開示していないが、例えば、移動する部材に設けた舌片に取付けられたねじを、本体に設けられた複数のねじ孔の何れかに選択的に螺入することにより、本体に対する部材の位置決めを選択的に行っている。
【発明の開示】
【発明が解決しようとする課題】
【０００３】
従来の部材の位置決め機構は、以上のように構成されているため、次のような課題が存在していた。
すなわち、部材の舌片と本体のねじ孔とをねじで選択的に螺入して部材の位置決めを行っているため、本体に対する部材の位置決めを行う毎に、ねじの離脱及び螺入を行わなければならず、作業性が悪く、狭いスペース内での作業は困難であった。
【課題を解決するための手段】
【０００４】
本発明による部材の位置決め機構は、本体に設けられた溝を案内として移動する部材と、前記部材に設けられたピンと、前記本体に設けられ弾性材料からなる曲折状係合部材と、よりなり、前記部材が移動して前記ピンが前記曲折状係合部材に係合することにより、前記部材の位置決めが行われる構成であり、また、前記曲折状係合部材は、前記本体に固定される基部と、前記基部に一体に設けられ円弧部を有する曲折部材と、からなり、前記円弧部が前記ピンの外周部に係合する構成であり、また、前記曲折状係合部材は、前記本体に固定される基部と、前記基部に一体に設けられ円弧状凹部を有する曲折部材と、からなり、前記曲折状係合部材は全体形状が階段型をなし、前記円弧状凹部は、前記ピンの端面に形成された端面凹部に係合する構成であり、また、前記曲折状係合部材は、前記本体に固定される基部と、前記基部に一体に設けられ円弧状凹部を有する曲折部材と、からなり、前記円弧状凹部は、前記ピンの外周部に形成された周面凹部に係合する構成である。
【発明の効果】
【０００５】
本発明による部材の位置決め機構は、以上のように構成されているため、次のような効果を得ることができる。
すなわち、本体に設けられた溝を案内として移動する部材と、前記部材に設けられたピンと、前記本体に設けられ弾性材料からなる曲折状係合部材と、よりなり、前記部材が移動して前記ピンが前記曲折状係合部材に係合することにより、前記部材の位置決めが行われるため、部材の移動のみで本体に対する位置決めができ、作業性を大幅に向上できる。
また、前記曲折状係合部材は、前記本体に固定される基部と、前記基部に一体に設けられ円弧部を有する曲折部材と、からなり、前記円弧部が前記ピンの外周部に係合することにより、簡単に位置決めができる。
また、前記曲折状係合部材は、前記本体に固定される基部と、前記基部に一体に設けられ円弧状凹部を有する曲折部材と、からなり、前記曲折状係合部材は全体形状が階段型をなし、前記円弧状凹部は、前記ピンの端面に形成された端面凹部に係合することにより、ピンの端面を利用して位置決めができ、構造設計の自由度を向上させることができる。
前記曲折状係合部材は、前記本体に固定される基部と、前記基部に一体に設けられ円弧状凹部を有する曲折部材と、からなり、前記円弧状凹部は、前記ピンの外周部に形成された周面凹部に係合することにより、ピンの周面の周面凹部を用いて簡単に部材の位置決めができる。
【発明を実施するための最良の形態】
【０００６】
本発明は、溝を案内として移動する部材を、ピンに係合する曲折状係合部材により位置決めするようにした部材の位置決め機構を提供することを目的とする。
【実施例】
【０００７】
以下、図面と共に本発明による部材の位置決め機構の好適な実施の形態について説明する。
図１において符号１で示されるものは、本体２の溝３に矢印Ａの方向に沿って直線往復移動自在に配設された部材であり、この本体２には、ピン４及びリード線５等が配設されている。
【０００８】
前記本体２の所定位置には、曲折状係合部材６がその基部７を介して固定され、この基部７と一体に形成された曲折部材８は弾性部材で構成され、この曲折部材８には突出状の円弧部９が形成されている。
前記ピン４は、前記円弧部９と係合する形状に構成され、前記ピン４が前記円弧部９と係合した状態で、前記部材１はその位置で位置決めされる。
【０００９】
前記曲折状係合部材６は、図２の構成に限ることなく、図３及び図４の構成とすることもできる。
すなわち、図３における曲折状係合部材６は、全体形状が階段型で形成され、基部７及び曲折部材８からなり、この曲折部材８には円弧状凹部１０が形成されている。
【００１０】
前記ピン４の端面１１には、前記円弧状凹部１０に対応して端面凹部１２が形成され、この端面凹部１２内に前記円弧状凹部１０が係合することにより、ピン４を有する前記部材１の位置決めを行うことができるように構成されている。
従って、前記ピン４に対する曲折状係合部材６の取付位置を変えることができ、部材１を有する装置等の構造設計の自由度を大幅に広げることができる。
【００１１】
また、図５及び図６で示される構成は、図２のさらに他の形態を示すもので、曲折状係合部材６の曲折部材８に円弧状凹部１３が形成され、この円弧状凹部１３は、前記ピン４の外周部４ａに形成された周面凹部４ｂに係合している。
従って、図５及び図６の構成は、前述の図２の構成に対して、円弧部９と円弧状凹部１３との違いのみで、ピン４に対する曲折状係合部材６の配置構成は同一である。
【図面の簡単な説明】
【００１２】
【図１】本発明による部材の位置決め機構を示す平面図である。
【図２】図１の要部の側面図である。
【図３】図２の他の形態を示す構成図である。
【図４】図３の要部を示す拡大図である。
【図５】図２の他の形態を示す構成図である。
【図６】図５の要部を示す拡大図である。
【符号の説明】
【００１３】
１    部材
２    本体
３    溝
４    ピン
４ａ    外周部
４ｂ    周面凹部
５    リード線
６    曲折状係合部材
７    基部
８    曲折部材
９    円弧部
１０    円弧状凹部
１１    端面
１２    端面凹部
１３    円弧状凹部
【図１】
2010014249.tif 000003
【図２】
2010014249.tif 000004
【図３】
2010014249.tif 000005
【図４】
2010014249.tif 000006
【図５】
2010014249.tif 000007
【図６】
2010014249.tif 000008